(57)【要約】【課題】磁石同士の、反発力及び吸引力を、回転円板上下交互連設した固設磁石の合間に、梃子力によって外方に取出すと共に制御し、機械的エネルギーを効率良く外部に回転駆動力として取出し得る、磁気原動機を提供する。【解決手段】上面板２と下面板３の合間に主軸４と共に回転可能に軸支され、固設磁石５を裏表両面に固設した回転円板６と、太鼓形軸受９と、複数対の円周四分の一形半クランクシャフト１３と、上記固設磁石５及び反転シャフト磁石１１に励磁電流の供給を行うバッテリー１４と、上記主軸４の所定回転角ごとに励磁電流の供給をオンオフする凹形部材電線スイッチ台１５と、電流の供給をオンオフする電源スイッチ１６とを備えた。【選択図】　　　　図１
2004120949.tif 000002
【特許請求の範囲】
【請求項１】
上面板と下面板の合間に主軸と共に回転可能に軸支され外周部寄りに複数対の空心の捲線からなる固設磁石を裏表両面に等角度間隔及び片面側固着の磁石間隔の中間位置に裏面側固着の磁石が固着されるよう固設した回転円板と、上方及び下方より前記主軸に嵌合され上記回転円板を挟着するように具設され、上記主軸と共に回転し上記主軸の長さ方向に対し所定の傾斜角度を有し、太鼓形外面上において楕円状に摺動運動を生ずる傾斜楕円管状溝内につづみ太鼓形ロラーベアリングを備える一方、上記回転円板の裏表相互に固設された磁石の数だけ施し傾斜楕円管状溝の中心を同一として均等に配置すると共に相互の傾斜楕円管の配置及びに位相角度に関し３６０度の上記固設磁石の数で除した角度に設定し、更に上記各傾斜楕円管状溝の長さ方向には所定区間のみ一対のＣ形通電端子板の合間の離れを一定方向に同軸回転固設磁石に向け上記電線配線敷設された太鼓形受軸と、上記本体板及び上下面板よりそれぞれ垂設あるいは立され一端に空心の捲線からなる円周四分の一形半クランクシャフトの外方先端に磁石が固設され内側には弓形通電スイッチ摺動片子が取着され上記傾斜楕円管状溝内を摺動し、且つ、上記太鼓形の軸受における上記傾斜楕円管状溝のＣ形通電端子板が敷設された所定の区間の摺動時のみ、磁石捲線への励磁電流を受電する手段を備えた複数対のクランクシャフト部材と、上記固設磁石及び反転シャフト磁石に励磁電流の供給を行う直流電源と、上記固設磁石に対し、上記主軸の所定回転角ごとに励磁電流の供給をオンオフする凹形部材電線スイッチ台と、直流電源からの供給をオンオフする電源スイッチとを備え、上記固設磁石と反転シャフト磁石との励磁タイミングを同調すると共に駆動力の取出し手段を備えたことを特徴とする、磁気原動機。
【発明の詳細な説明】
【０００１】
【発明が属する技術分野】
本発明は、強い磁石を回転円板の上下に配置し磁石相互の反発力及び吸引力を助長すると共に、上記回転円板の回転に応じて通電を開閉するように制御し、当該回転円板から外部に駆動力を取出し得るようにした磁気原動機に関する。
【０００２】
【従来の技術】
従来、原動機は燃料や電力を多量に消費するものであったり、或いは水力によるものにおいては、多量の水量を必要とし且つその水量を維持しなければならない等、いずれも駆動源として大エネルギーを付与しなければならないと共にその施設も大型のプラントにする必要があった。また、燃料を消費するタイプのものにあっては排気ガスによる公害問題を生じる虞があるという欠点がある。
【０００３】
一方、本願特許に係る発明者は、上記従来の技術に係る欠点を解消すべく、回転円板上に配置した磁石相互の反発力及び吸引力を有効に利用し、外部に駆動力を取出し得るようにしたものとして、実用新案登録第３０３４８２５号を提案している。
【０００４】
【発明が解決しようとする課題】
上記従来の技術の項にも記載のように、燃料や電力を多量に消費するタイプの原動機は一般的にエネルギー損失が高く、更に原動機施設を大型化する必要があり、燃料を消費するものにおいては排気ガスが環境に悪影響を及ぼすという問題があった。
【０００５】
そこで、本発明は上記従来の技術の項に記載の欠点等に鑑みる一方、上記従来の技術の項に記載の実用新案登録第３０３４８２５号に係る磁気原動機の継続的改良研究の成果として、本発明に到達したものであり、その目的とするところは、回転円板の表裏面外周部寄りに表裏に固着される磁石が、片面側固着の磁石間隔の中間位置に裏面側固着の磁石が固着され、上記表裏面に固設の磁石間隔の合間に、上記本体板２と３の上下板より下げ立てた支軸を中心に、天秤型梃子の先端に固着した磁石を各々配置し、往復運動によって前記表裏面固着磁石を円板回転方向に反発押出し、当該回転円板の回転力を助長し、次ぎに上記回転円板の回転力から外部に駆動力を取出し得るようにした磁気原動機を提供することにある。
【０００６】
【課題を解決するための手段】
上記目的を達成するため、本発明に係る磁気原動機は以下の構成より成る。即ち、本発明に係る磁気原動機は、上面板と下面板の合間に主軸と共に回転可能に軸支され外周部寄りに複数対の空心の捲線からなる固設磁石を裏表両面に等角度間隔及び片面側固着の磁石間隔の中間位置に裏面側固着の磁石が固着されるよう固設した回転円板と、上方及び下方より前記主軸に嵌合され上記回転円板を挟着するように具設され、上記主軸と共に回転し上記主軸の長さ方向に対し所定の傾斜角度を有し、太鼓形外面上において楕円状に摺動運動を生ずる傾斜楕円管状溝内につづみ太鼓形ロラーベアリングを備える一方、上記回転円板の裏表相互に固設された磁石の数だけ施し傾斜楕円管状溝の中心を同一として均等に配置すると共に相互の傾斜楕円管の配置及びに位相角度に関し３６０度の上記固設磁石の数で除した角度に設定し、更に上記各傾斜楕円管状溝の長さ方向には所定区間のみ一対のＣ形通電端子板の合間の離れを一定方向に同軸回転固設磁石に向け上記電線配線敷設された太鼓形受軸と、上記本体板及び上下面板よりそれぞれ垂設あるいは立され一端に空心の捲線からなる円周四分の一形半クランクシャフトの外方先端に磁石が固設され内側には弓形通電スイッチ摺動片子が取着され上記傾斜楕円管状溝内を摺動し、且つ、上記太鼓形の軸受における上記傾斜楕円管状溝のＣ形通電端子板が敷設された所定の区間の摺動時のみ、磁石捲線への励磁電流を受電する手段を備えた複数対のクランクシャフト部材と、上記固設磁石及び反転シャフト磁石に励磁電流の供給を行う直流電源と、上記固設磁石に対し、上記主軸の所定回転角ごとに励磁電流の供給をオンオフする凹形部材電線スイッチ台と、直流電源からの供給をオンオフする電源スイッチとを備え、上記固設磁石と反転シャフト磁石との励磁タイミングを同調すると共に駆動力の取出し手段を備えたことを要旨とするものである。
【０００７】
【作用】
次ぎに、本発明の作用について説明するものとする。先ず、図１及び図２は、それぞれ本発明に係る磁気原動機の斜視図、及び本発明に係る磁気原動機の水平方向の断面図である。図示のように、上面板２と下面板３の合間に上下交互に放射状に下げ立てた支持軸１０を軸に、長さの三分の一を外方よりに支持軸１０を軸に円周四分の一形半クランクシャフト１３の先の磁石を放射状に組合せ、自動スイッチ室３０の上面板に凹形部材電線スイッチ台１５、自動スイッチ室３０の下面板に、バッテリー１４と、発電機２７の三区間室を備え、上記上面板２と下面板３の合間に回転円板６の周面の裏表上下交互及び等角度間隔に固設磁石５を回転円板６の上下面に太鼓形軸受９の周に傾斜楕円管状溝７の下に、同軸の凸形回転スイッチ部材２０、更に当該凸形回転スイッチ部材２０の円管の下に自動スイッチ室３０、そしてまた、当該自動スイッチ室３０の下に主軸同軸大歯車２６を配置し、三区間室内に配置の回転円板６、太鼓形軸受９、凹形部材電線スイッチ台１５、大歯車２６の中心を主軸４に通し、一方主軸内に電線コード１９を通し一体の独楽様の回転体を上記に示した。ここで、上面板２と下面板３の合間の上下面交互に放射状に等角度間隔に支持軸１０を軸に梃子天秤の円周四分の一形半クランクシャフト１３の内側先端に弓形スイッチ通電摺動片１２を上記主軸４と同軸な回転円板６の太鼓形軸受９に捲いた傾斜楕円管状溝７内に差込み、上記主軸４と同軸な回転円板６の太鼓形軸受９の周いに上下交互に捲いた傾斜楕円管状溝７内のＣ形通電端子板８を斜上下に円管状溝７内のＣ形通電端子板８の合間を回転円板６に向けた配線上の通過となり傾斜楕円管状溝７に添って上がる一方、同時に上記上面板２と下面板３に下げ立てた支持軸１０を軸とした梃子天秤の円周四分の一形半クランクシャフト１３の外方端の反転シャフト磁石１１は、上記回転円板６の上下交互固設磁石５の合間に下がり向かい合い反発又は吸引し、上記回転円板６に固設の固設磁石５は押出され、始動開始と同時に其の反対裏面の太鼓形軸受９の傾斜楕円管状溝７内に上記に示した上面板２と下面板３の交互に下げ立てた支持軸１０を軸に円周四分の一形半クランクシャフト１３の内側先端の弓形スイッチ通電摺動片１２は回転円板６の上下交互の太鼓形軸受９に捲いた傾斜楕円管状溝７に添って下がり、上記回転円板６の太鼓形軸受９の傾斜楕円管状溝７内のＣ形通電端子板８の離れの合間を一定にして、回転円板６に上下より向けたＣ形通電端子板で電線配線のない傾斜楕円管溝のみの通過となる。従って、上記上面板２と下面板３の合間において、上下交互に下げ立てた支持軸１０を軸とした梃子天秤の円周四分の一形半クランクシャフト１３の内側先端の弓形スイッチ通電摺動片１２も切電となると同時に、支持軸１０を軸とした円周四分の一形半クランクシャフト１３の外方先端の反転シャフト磁石１１も上記回転円板６の固設磁石５の合間より外方に出る前に吸引反発力をなくし、上記回転円板の交互固設磁石５の外方に出るようになる。
【０００８】
更に、自動スイッチ室３０の下面にバッテリー１４と自動スイッチ室３０の上面の主軸４の周いの凹形部材電線スイッチ台１５まで、電線コード１９を通し、回転円板６の上下交互固設磁石５より上記回転円板６と同軸回転の下に存在する凸形回転スイッチ部材２０の凸形円管まで電線コード１９を単線配線し、独楽様の回転円板６を上記自動スイッチ室３０の上面に凹形部材電線スイッチ台１５に組合わせ、凹形部材電線スイッチ台１５の配線の離れと上記回転円板６の上下の太鼓形軸受９に捲いた傾斜楕円管状溝７内にＣ形通電端子板８の合間の離れの角度間隔を同一にした上記独楽様の回転体によって、上記上面板２と下面板３の上下交互固設の支持軸１０を軸に半クランクシャフトの内側先端の弓形スイッチ通電摺動片１２の通過を上記回転円板６の上下受軸の傾斜楕円管状溝７内のＣ形通電端子板８の配線の離れの合間を上記上面板２と下面板３の上下交互の支持軸１０を軸の半クランクシャフトの内側先端の弓形スイッチ通電摺動片１２がＣ形の離れの合間の通過と上記回転円板６と同軸回転の凸形回転スイッチ部材２０が、上記自動スイッチ室３０の上面に固設の凹形部材電線スイッチ台１５の通過を同時に行うことによって、上記回転円板上下交互固設磁石５も、上記回転円板上下交互に固設磁石５の周りの支持軸１０を軸とした半クランクシャフト外方端の反転シャフト磁石１１も同時に磁力が無くなる。従って、独楽様の回転円板６の上下交互固設の磁石のタービンの羽状となる周いの磁石の合間に上記本体板上下より下げ立てた支持軸１０を軸に半クランクシャフトの外方端の反転シャフト磁石１１を傘骨の様に梃子力を加え、上下運動を繰返し回転継続するようにした。
【０００９】
従って、回転円板６の裏表上下交互固設の回転円板６上下の太鼓形の受軸９の傾斜楕円管状溝７内のＣ形通電端子板８の離れの合間を同軸回転円板６に向けた斜め上下に一定方向の離れの配線敷設通電端子板１７上を、上記本体板上下面より下げ立てた右左固定の周りの支持軸１０を中心に梃子天秤の半クランクシャフトの内側先端の弓形スイッチ通電摺動片１２の通過と、上記回転円板６と同軸回転の凸形回転スイッチ部材２０が、上記自動スイッチ室３０の上面に固設の凹形部材電線スイッチ台１５の通過を同時に行うことによって、上記回転円板６上下交互に固設の固設磁石５も、上記本体板上下交互固設磁石の周りの支持軸１０を軸とした半クランクシャフト外方端の反転シャフト磁石１１も同時に磁力が無くなり、独楽様の回転円板６の上下交互固設の磁石のタービンの羽状となる周いの磁石の合間に、上記本体板上下より下げ立てた支持軸１０を軸に半クランクシャフトの外方端の反転シャフト磁石１１を傘骨の様に挺子力を加え、上下運動を繰返し回転継続するようにした。
【００１０】
【発明の実施の形態】
以下、更に本発明に係る好適な実施の形態を通し引き続き本発明について詳説するものとする。
【００１１】
先ず、１図は本発明に係る磁気原動機の斜視図であり、図１に基づき、本発明に係る磁気原動機の概要を説明すると、図示のように、上面板２と下面板３間には主軸４と共に回転可能に軸支され、外周部寄りに表裏両面に空心の捲線からなる固設磁石５を等角間隔に固設した回転円板６と上方及び下方より主軸４に嵌合され、回転円板６を挟着するように具設されて主軸４と共に回転し、主軸４の長さ方向に対し所定の傾斜角度を有し、太鼓形外側面上において傾斜楕円状に摺動運動を生じる傾斜楕円管状溝７を回転円板６の裏表相互に固設された固設磁石５の数だけ施し、傾斜楕円管状溝７の中心を同一として、均等に配置すると共に、相互の傾斜楕円管配置及び位相角度に関し、３６０度を固設磁石５の数に除した角度に設定し、更にまた各傾斜楕円管状溝７の長さ方向には所定区間のみ後述する一対のＣ形通電端子板８が敷設された太鼓形軸受９と上面板２の裏面及び下面板３の表面よりそれぞれ垂設あるいは立設される支持軸１０に軸支され、一端に空心の捲線からなる反転シャフト磁石１１が固設され、他端には弓形スイッチ通電摺動片１２が取着され傾斜楕円管状溝７内を摺動し、且つ、太鼓形軸受９における傾斜楕円管状溝７の上記Ｃ形通端子板が敷設された所定区間の摺動時、磁石捲線への励磁電流を受電する手段を備えた円周四分の一形半クランクシャフト１３と固設磁石５及び反転シャフト磁石１１に励磁電流の供給を行う発電機２７よりバッテリー１４と固設磁石５に対し、主軸の４の所定回転角ごとに励磁電流の供給をオンオフする後述の凹形部材電線スイッチ台１５とバッテリー１４からの供給をオンオフする電源スイッチ１６により構成される。
【００１２】
次に、図２は本発明に係る磁気原動機の内部の様子を示すための水平方向の断面図であり、ここで、円周四分の一形半クランクシャフト１３の外方先端に固着の反転シャフト磁石１１の半円上の往復運動は回転円板６の一回転に伴い一往復の運動を行うものであり、太鼓型軸受９の外側面上に施された傾斜楕円管状溝７に係着の弓形スイッチ通電摺動片１２が最下位置にある時、反転シャフト磁石１１は半軌道上の最上位置にあって、一方、弓形スイッチ通電摺動片１２が傾斜楕円管状溝７の最上位置にある時には反転シャフト磁石１１は半円軌道上の最下位置に存在するものである。そこで、回転円板６に固設磁石５に対して、円周四分の一形半クランクシャフト１３先端に固着の反転シャフト磁石１１が回転円板６における回転後方の最上位置から半円軌跡を描き降下し固設磁石５の近接を反発するものであって、この間バッテリー１４からの励磁電流の供給を行い、固設磁石５と反転シャフト磁石１１の接近によって固設磁石の反発力が働きそれによって回転円板の回転が促進される。また、次に反転シャフト磁石１１が最下位置から半円軌道上を上昇して最上位置に到達する間について、上記バッテリー１４からの励磁電流の供給が遮断され、上記固設磁石５と反転シャフト磁石１１が半円軌道上を回転円板６とはやや反対向きに上昇する際、回転円板６の回転によって次に近接する別の固設磁石５を押返し回転円板６の回転力を減衰させることがない。
【００１３】
続いて、図３は本発明に係る凹形部材電線スイッチ台の立面及び一部縦断面図であり、一方、図５は本発明に係る主軸の下端に取着される回転スイッチ部材の底面図、図６は同じく回転スイッチ部材の立面及び縦断面図である。ここで、図３及び図４に示すのように、本発明に係る凹形部材電線スイッチ台１５は、断面凹形な有底円筒であり、底部上面には主軸４の下端が遊挿される主軸受孔１８が設けられていると共に、円管内側の長さ方向には等間隔にバッテリー１４より導かれた電線コード１９と結線された四枚の通電端子板１７が埋設されている。更に、本発明に係る凸形回転スイッチ部材２０は、上記凹形部材電線スイッチ台１５は主軸４の下方中間であって、自動スイッチ室３０の上面の周に装着されるもので、図５及び図６に示すように円管状外側には長さ方向に等間隔に通電材料から成る四枚の回転摺動板２１が埋設されている。ここで回転摺動板１２は電線コード１９と結線されていて、電線コード１９は図６のように主軸４の内部に導入され、図示しないながらも、上記回転円板６に固設磁石の捲線と連結されているものである。従って上記凹形部材電線スイッチ台１５と凸形回転スイッチ部材２０の組合わせにより主軸４の回転に伴いバッテリー１４からの励磁電流の供給がオンオフされる。
【００１４】
更にまた、図７は本発明に係るＣ形通電端子板の左側面図及び正面図である。図に示のように、Ｃ形通電端子板８は隔離した一対の円弧状略Ｃ形の通電端子板でそれぞれ電線コード１９と結線されているものであり、Ｃ形通電端子板８は弓形スイッチ通電摺動片１２が摺動する上記傾斜楕円管状溝７において、最下位置から最上位置の区間に埋設されるものである。
【００１５】
続いて、図８は本発明に係る太鼓形軸受９に捲た傾斜楕円管一本の溝の断面に主軸４より電線コード１９によりＣ形通電端子板８の離れの合間に、上記支持軸１０を通しくる梃子天秤半クランクシャフト１２内側先端の摺動片をつづみ太鼓形ロラーベアリング部材２４によって挟んだ縦断面図。図９は、本発明に係る太鼓形軸受９溝内に傾斜楕円管状溝７に梃子円周四分の一形半クランクシャフト１３の先端に付く弓形スイッチ通電摺動片１２を、Ｃ形通電端子板８上に載せ、太鼓形軸受９につづみ太鼓形ロラーベアリング部材２４により双方より挟みＣ形通電端子板８に載せた横断面図である。
【００１６】
図１０は、充電バッテリーより本発明に係る磁気原動機の回転円板上部側の通電回路図であり、図中のＳ４はＣ形通電端子板８、Ｓ２は弓形スイッチ通電摺動片１２、Ｓ３は凹形部材電線スイッチ台１５、Ｓ４は電源スイッチ１６に相応しており、Ｓ１、Ｓ２、Ｓ３のオンオフのタイミングは同調されている。尚、上記説明においては回転円板上部側の通電状況が説明されているが、下部側においても同様の操作により回転円板６の回転が促進される。
【００１７】
図１１は、軸受太鼓形の横断面図。図１２は回転円板６の固設磁石５に上記太鼓形軸受９の右側部分断面図に上記第１１図部分の点線センター線に示したように、太鼓形軸受９に一本の傾斜楕円管状溝７内の部分断面内にＣ形通電端子板８の双側に、つづみ太鼓形ロラーベアリング部材２４によって備え、上記主軸４を通した上記本体板上面板より下げた、支持軸１０の二本の下先端に、梃子天秤の円周四分の一形半クランクシャフト１３の外先端の反転シャフト磁石１１によって、上記回転円板６に固設磁石５に向い合わせ、上記本体板より下げた支持軸１０を中心に梃子天秤の円周四分の一形半クランクシャフト１３の内方先端弓形スイッチ通電摺動片１２を上記回転円板６と同軸回転の太鼓形軸受９捲いた一本の傾斜楕円管状溝７に、上記弓形スイッチ通電摺動片１２差込んだ説明拡大図である。
【００１８】
更に、図１３は回転円板の上下により挟着するように且設された主軸４と共に同軸回転の太鼓形軸受９に捲いた傾斜楕円管状溝７内のＣ形通電端子板８の配線の離れの合間を回転円板６に上下より向けた図に、本体上面板２より下げた支持軸１０と本体下面板３より立てた支持軸１０を通した円周四分の一形半クランクシャフト１３内を通した半クランクシャフトの内側先端に組合わせの弓形スイッチ通電摺動片１２までの電線コード１９の配線図である。なお、図１３に示した点線は、凹形部材電線スイッチ台１５に内包されている凸形回転スイッチ部材２０である。
【００１９】
【発明の効果】
本発明に係る磁気原動機は以上の構成によることから鉱物資源よらず主軸が駆動され、回転円板が回転すると、回転円板の固設磁石と、梃子天秤の半クランクシャフト部材の反転シャフト磁石が往復運動に伴い断続的に磁気的反発力を付与し、エネルギーを効率よく回転円板を回転させることができるので、その回転から外部に駆動力を有効に取出すことができるという効果がある。また、本発明に係る磁気原動機を採用すれば、産業、生活上必要とされる種々に強力な低速回転を変速機構を介せず直接に得られ、原動機を軽量、小型のものにもできるという効果もある。
【図面の簡単な説明】
【図１】本発明に係る磁気原動機の斜視図。
【図２】本発明に係る磁気原動機の内部の様子を示すための水平方向の断面図。
【図３】本発明に係る凹形部材電線スイッチ台の平面図。
【図４】本発明に係る凹形部材電線スイッチ台の立面及び一部縦断面図。
【図５】本発明に係る主軸の下端に取着される回転スイッチ部材の底面図。
【図６】本発明に係る回転スイッチ部材の立面及び一部縦断面図。
【図７】本発明に係るＣ形通電端子板の左側面図及び正面図。
【図８】傾斜楕円管溝内にＣ形通電端子板敷設上に梃子の半クランクシャフトの先端固設の弓形スイッチ摺動片を、つづみ太鼓形ロラーベアリングの合間に挟んだ、傾斜楕円管溝内の様子を示した平断面図。
【図９】本発明に係る太鼓形受軸の一部横断面内に、梃子天秤半クランクシャフトの内側先端固着の弓形スイッチ摺動片を、つづみ太鼓形ロラーベアリングにより双方より挟み、傾斜楕円管溝内のＣ形通電端子板上に載せた際の横断面図。
【図１０】本発明の充電より磁気原動機の回転円板上部側の通電回路図。
【図１１】本発明に係る太鼓形受軸の横断面図。
【図１２】本発明に係る太鼓形受軸に捲いた傾斜楕円管一本の溝内につづみ太鼓形双方の合間にＣ形端子板を配線の断面図に、本体板上面より下げた二本の支持軸の先端に梃子半クランクシャフトを通し、外方先端に反転シャフト固設磁石を回転円板に主軸を通し円板上の固設磁石に向い合せた際の部分拡大図。
【図１３】本発明に係る太鼓形受軸９に捲いた傾斜楕円管溝内にＣ形通電端子板８の配線の合間の離れを回転円板に上下より向けた際の拡大図。
【符号の説明】
１　　本発明に係る磁気原動機
２　　上面板
３　　下面板
４　　主軸
５　　固設磁石
６　　回転円板
７　　傾斜楕円管状溝
８　　Ｃ形通電端子板
９　　太鼓形軸受
１０　支持軸
１１　反転シャフト磁石
１２　弓形スイッチ通電摺動片
１３　円周四分の一形半クランクシャフト
１４　バッテリー
１５　凹形部材電線スイッチ台
１６　電源スイッチ
１７　通電端子板
１８　主軸受孔
１９　電線コード
２０　凸形回転スイッチ部材
２１　回転摺動板
２２　電線コード通入孔
２３　摺動片子単線スイッチ
２４　つづみ太鼓形ロラーベアリング部材
２５　発電小歯車
２６　主軸同軸大歯車
２７　発電機
２８　磁石吸引部分面
２９　発電充電室
３０　自動スイッチ室
【図１】
2004120949.tif 000003
【図２】
2004120949.tif 000004
【図３】
2004120949.tif 000005
【図４】
2004120949.tif 000006
【図５】
2004120949.tif 000007
【図６】
2004120949.tif 000008
【図７】
2004120949.tif 000009
【図８】
2004120949.tif 000010
【図９】
2004120949.tif 000011
【図１０】
2004120949.tif 000012
【図１１】
2004120949.tif 000013
【図１２】
2004120949.tif 000014
【図１３】
2004120949.tif 000015